(57)【要約】  本発明は、第１の装置ＤＳから第２の装置ＤＴ１、ＤＴ２へとアプリケーションデータＦ１、Ｆ２を伝送する方法であって、第１の装置ＤＳのタッチインタフェース２１０に触れているユーザ２の身体を通して、第１の装置ＤＳと、ユーザ２の身に付けて持ち運ばれているメモリ装置１との間で、接続に関連するデータを交換するステップを有する方法を記載する。アプリケーションデータＦ１、Ｆ２は、接続に関連するデータ４に基づいて確立された、第１の装置ＤＳとメモリ装置１との間の接続によって伝送され、前記メモリ装置１のメモリ２２０に保存される。本方法は続いて、第２の装置ＤＴ１のタッチインタフェース２３０に触れているユーザ２の身体を通して、メモリ装置１と第２の装置ＤＴ１、ＤＴ２との間で、接続に関連するデータ４を交換するステップを有し、アプリケーションデータＦ１、Ｆ２の少なくとも一部が、接続に関連するデータ４に基づいて確立された、メモリ装置１と第２の装置ＤＴ１、ＤＴ２との間の接続によって、メモリ装置１のメモリ２２０から第２の装置ＤＴ１、ＤＴ２へと伝送される。本発明は更に、データ伝送システム２０、アプリケーションデータＦ１、Ｆ２を利用するための装置ＤＳ、ＤＴ１、ＤＴ２、メモリ装置１及びデータ伝送フロントエンド３''を記載する。
2009536489.tif 000002
【特許請求の範囲】
【請求項１】
第１の装置から第２の装置へとアプリケーションデータを伝送する方法であって、前記方法は、
前記第１の装置のタッチインタフェースに触れているユーザの身体を通して、前記第１の装置と、前記ユーザの身に付けて持ち運ばれているメモリ装置との間で、接続に関連するデータを交換するステップと、
前記接続に関連するデータに基づいて確立された、前記第１の装置と前記メモリ装置との間の接続によって、前記第１の装置から前記メモリ装置へと前記アプリケーションデータを伝送するステップと、
前記メモリ装置のメモリに前記データを保存するステップと、
前記第２の装置のタッチインタフェースに触れている前記ユーザの身体を通して、前記メモリ装置と前記第２の装置との間で、接続に関連するデータを交換するステップと、
前記接続に関連するデータに基づいて確立された、前記メモリ装置と前記第２の装置との間の接続によって、前記メモリ装置のメモリから前記第２の装置へと、前記アプリケーションデータの少なくとも一部を伝送するステップと、
を有する方法。
【請求項２】
前記メモリ装置と対応する装置との間の無線接続が、前記メモリ装置と前記装置との間で交換された前記接続に関連するデータに基づいて確立され、前記無線接続によって、前記アプリケーションが前記メモリ装置と前記装置との間で伝送される、請求項１に記載の方法。
【請求項３】
前記メモリ装置と装置との間の前記アプリケーションデータの伝送の方向は、前記ユーザにより為された前記装置との接触のタイプにより決定される、請求項１又は２に記載の方法。
【請求項４】
前記メモリ装置と装置との間の前記アプリケーションデータの伝送のタイプが、コピー伝送型、ペースト伝送型、又は移動伝送型として示される、請求項３に記載の方法。
【請求項５】
前記アプリケーションデータについてラベルが規定され、前記ラベルは前記アプリケーションデータと共に前記メモリ装置へと伝送される、請求項１乃至４のいずれか一項に記載の方法。
【請求項６】
前記ラベルは、前記アプリケーションデータについての寿命の規定、及び／又は前記アプリケーションデータが前記メモリ装置から前記第２の装置へと伝送され得る回数の規定、及び／又は前記アプリケーションデータが前記メモリ装置から伝送される先の前記第２の装置の規定を有する、請求項５に記載の方法。
【請求項７】
第１の装置と第２の装置との間でアプリケーションデータを伝送するためのデータ伝送システムであって、前記システムは、
ユーザの身に付けて持ち運ぶためのメモリ装置を有し、前記メモリ装置は、
前記アプリケーションデータの中間的な保存のためのメモリと、
ユーザの身体を通して、接続に関連するデータを装置と交換するための接続インタフェースと、
前記接続に関連するデータに基づいて確立された、前記メモリ装置と前記第１又は第２の装置との間の接続によって、前記第１の装置から前記アプリケーションデータを受信し、前記第２の装置へと前記アプリケーションデータを送信するための、データ伝送構成と、
を有し、前記システムは更に、前記第１の装置に割り当てられた、
前記ユーザの身体を通して、前記第１の装置と前記メモリ装置との間で、接続に関連するデータを交換するための、タッチインタフェースと接続インタフェースとの組み合わせと、
前記接続に関連するデータに基づいて確立された、前記第１の装置と前記メモリ装置との間の接続によって、前記第１の装置から前記メモリ装置へと前記アプリケーションデータを送信するための、データ伝送構成と、
を有し、前記システムは更に、前記第２の装置に割り当てられた、
前記ユーザの身体を通して、前記第２の装置と前記メモリ装置との間で、接続に関連するデータを交換するための、タッチインタフェースと接続インタフェースとの組み合わせと、
前記接続に関連するデータに基づいて確立された、前記メモリ装置と前記第２の装置との間の接続によって、前記メモリ装置から前記第２の装置へと前記アプリケーションデータを送信するための、データ伝送構成と、
を有するデータ伝送システム。
【請求項８】
前記装置のタッチインタフェースは、前記装置と前記メモリ装置との間の、幾つかの別個のアプリケーションデータ伝送タイプについての、対応する数のタッチ可能な領域、及び／又は種々のアプリケーションデータ伝送タイプについての、ユーザによって為された前記タッチインタフェースとの接触のタイプを検出するための検出ユニットを有する、請求項７に記載のデータ伝送システム。
【請求項９】
アプリケーションデータを利用するための装置であって、
前記装置とメモリ装置との間で、接続に関連するデータを交換するための、タッチインタフェースと接続インタフェースとの組み合わせと、
前記接続に関連するデータに基づいて確立された、前記メモリ装置と前記装置との間の接続によって、前記装置と前記メモリ装置との間で前記アプリケーションデータを伝送するための、データ伝送構成と、
を有する装置。
【請求項１０】
第１の装置から第２の装置への伝送におけるアプリケーションデータの中間的な保存のためのメモリ装置であって、
ユーザの身体を通して、接続に関連するデータを装置と交換するための接続インタフェースと、
前記接続に関連するデータに基づいて確立された、前記メモリ装置と前記第１又は第２の装置との間の接続によって、前記第１の装置から前記アプリケーションデータを受信し、前記第２の装置へと前記アプリケーションデータを送信するための、データ伝送構成と、
前記アプリケーションデータを保存するためのメモリと、
を有するメモリ装置。
【請求項１１】
装置と請求項１０に記載のメモリ装置との間でインタフェース接続するためのデータ伝送フロントエンドであって、
前記装置から前記データ伝送フロントエンドへとアプリケーションデータを伝送するためのデータインタフェースと、
前記データ伝送フロントエンドと前記メモリ装置との間で、接続に関連するデータを交換するための、タッチインタフェースと接続インタフェースとの組み合わせと、
前記接続に関連するデータに基づいて、前記データ伝送フロントエンドと前記メモリ装置との間で確立された接続によって、前記装置と前記メモリ装置との間で前記アプリケーションデータを伝送するための、データ伝送構成と、
を有するデータ伝送フロントエンド。
【発明の詳細な説明】
【技術分野】
【０００１】
本発明は、第１の装置から第２の装置へアプリケーションデータを伝送する方法及びデータ伝送システムに関する。
【０００２】
本発明はまた、アプリケーションデータを利用するための装置、及び斯かるデータ伝送方法を用いて伝送可能なアプリケーションデータの中間的な保存のためのメモリ装置に関する。
【０００３】
更に、本発明はデータ伝送フロントエンドに関する。
【背景技術】
【０００４】
電子的な形態でのデータの利用は、日常生活の一部となった。殆どの人々は、Word（登録商標）文書、ＭＰ３音楽ファイル、ＭＰＥＧ映画ファイル等のような電子的な形態のアプリケーションデータとして利用可能な文書、音楽、ビデオ等をよく知っている。パーソナルコンピュータ（ＰＣ）、携帯型音楽プレイヤ、ディジタルカメラ等のような電子装置のユーザの多くは、例えばＷｏｒｄファイルを或るＰＣから別のＰＣへとコピーすることのような、アプリケーションデータを或る装置から別の装置へとコピーするという概念にも慣れている。アプリケーションデータはしばしば、１つよりも多い装置において、又は１つよりも多いタイプの装置において、利用され得る。一例は、いずれかのパーソナルコンピュータにおいて処理され得るいずれかのWord文書により、又は携帯型音楽プレイヤと同様にパーソナルコンピュータ上でも再生され得るＭＰ３ファイルにより、又はディジタルカメラにおいて生成され画像処理のためにパーソナルコンピュータへと伝送され得るディジタル画像ファイルによって、与えられる。
【発明の開示】
【発明が解決しようとする課題】
【０００５】
或る装置から別の装置へアプリケーションデータを方法する、種々の方法がある。最も単純なもののひとつは、例えばインタフェースケーブルのような直接の物理的な接続によるものである。しかしながら、２つの装置を物理的に接続することが不可能である場合（例えばこれら装置が別の場所にある場合）には、データ伝送元装置からディスケット、コンパクトディスク（ＣＤ）又はメモリスティックのような中間的な記憶媒体へとデータがまずコピーされ、該中間的な記憶媒体が次いで宛先の装置へと運ばれ、そこでデータがコピーされ得る。しかしながら、ディスケットのメモリ容量はそれ程大きくなく、ディスケットへの書き込みは一般に非常に低速である。更に、ディスケットは容易に損傷を受け得、ディスケットが磁場にさらされるとデータが失われ得る。ＣＤへのデータの書き込み（焼くとも呼ばれる）はより高速であるが、１度しか為され得ない。読み取り／書き込み用ＣＤが利用可能であるが、これらは高価である。ディスケット及びＣＤに共通する他の欠点は、比較的大きいという点である。
【０００６】
一方でメモリスティックは小型であり、便利且つ高速であるため、メモリスティックの利用が広まっている。斯かるメモリスティックは、これらメモリスティックがパーソナルコンピュータのような装置へとインタフェース接続するためのＵＳＢ（Universal Serial Bus）インタフェースのため、一般に「ＵＳＢスティック」とも呼ばれる。ＵＳＢスティックの人気は、ＵＳＢタイプのインタフェースにより提供される使用の簡便性と実用的な可能性に大きく起因する。パーソナルコンピュータは一般に、単一のディスケット又はコンパクトディスクドライブしか持たないが、メモリスティックが空きスロットへと簡単に挿入されることができるような幾つかのＵＳＢスロット又はＵＳＢハブを容易に収容することができる。例えばディジタルカメラ又は携帯型音楽プレイヤのような、アプリケーションデータを生成又は再生するその他の小型の装置はしばしば、該装置から又は該装置へとデータをコピーするためのＵＳＢインタフェースを備える。それ故、中間的な記憶装置としてのメモリスティックの人気は、更に増大することが予想される。
【０００７】
しかしながら、或る装置から別の装置へとデータを伝送するためのメモリスティックの利用は、最先端の中間的な記憶装置の全てに共通する欠点が、完全に無いわけではない。装置間でデータを頻繁に伝送するユーザにとって、データ伝送毎に、該ユーザのメモリスティックを（常に容易にアクセス可能であるわけではない）ＵＳＢスロットに挿入し、データを該スティックにコピーし、該メモリスティックをＵＳＢインタフェースから取り外し、該メモリスティックから宛先の装置へとデータを伝送するために該宛先の装置において当該処理を繰り返さなくてはならないという、明らかな欠点がある。また、メモリスティックが幾つかの異なる伝送先へとデータを伝送するために利用される場合には、ユーザは伝送毎に例えばWindows（登録商標）のExplorerを利用してメモリスティックの内容を検査し、各伝送先装置に向けられたファイルを選択する必要がある。他の欠点は、小型でコンパクトであるために、斯かるメモリスティックは、装置のＵＳＢインタフェースに容易に装着したままにされ忘れられ得る点である。
【０００８】
それ故、本発明の目的は、上述した問題を回避しつつ、伝送元の装置から宛先の装置へとデータを伝送する容易且つ快適な方法を提供することにある。
【課題を解決するための手段】
【０００９】
この目的のため、本発明は、第１の装置から第２の装置へアプリケーションデータを伝送する方法であって、ユーザが前記第１の装置のタッチインタフェースに触れるステップと、該ユーザが該装置に触れている間に、接続に関連するデータが次いで、ユーザの身体を通して、前記第１の装置とメモリ装置との間で交換される方法を提供する。該メモリ装置は、該ユーザの身に付けて（例えばポケットの中に）持ち運ばれる。該接続に関連するデータに基づいて、アプリケーションデータを交換するための接続が、第１の装置とメモリ装置との間で確立される。アプリケーションデータは次いで、当該接続を通して前記第１の装置から前記メモリ装置へと伝送され、次いで該メモリ装置のメモリに保存される。
【００１０】
以下、「触れる」なる語は、ユーザと伝送元又は宛先の装置との間に為される接触を記述するために使用される。該接触は、接続に関連するデータが、触れられている装置と、ユーザの身に付けられて持ち運ばれているメモリ装置との間で交換され得るようなものである必要がある。接触即ちタッチの性質は、装置のタッチインタフェースの実現方法に依存しても良く、或るタイプの装置は、ユーザが例えば指先又は親指をタッチ可能領域において押下し、交換の継続時間の間該接触を維持することを要求しても良い。他のタイプの装置のタッチインタフェースは、接続に関連するデータが交換されるために、ユーザが該ユーザの指先を該インタフェースに近づける必要があるのみである（即ち、物理的な接触が要求されない）ように実現されても良い。前提条件は、ユーザが指している領域がタッチインタフェースにより決定され得るように、ユーザが該ユーザの指先をタッチインタフェースの十分近くに近づけることであり得る。タッチインタフェースの感度は、ユーザが該タッチインタフェース中の領域に明確に接触を為した場合にのみ該タッチインタフェースが反応し、ユーザがたまたま手を該タッチインタフェースから幾分離れた該タッチインタフェースの上方を通過させたときには反応しないように、設定されても良い。
【００１１】
次のステップにおいて、ユーザが前記第２の装置のタッチインタフェースに触れ、接続に関連するデータが、該ユーザの身体を通して前記メモリ装置と前記第２の装置との間で交換される。これにより、アプリケーションデータの交換のための接続が、該接続に関連するデータに基づいて、前記メモリ装置と前記第２の装置との間で確立する。続いて、該アプリケーションデータの少なくとも一部が、該接続を通して、前記メモリ装置のメモリから前記第２の装置へと伝送される。前記メモリ装置への及び前記メモリ装置からのアプリケーションデータの伝送は、ユーザの身体を通して実行されても良いし、又は前記メモリ装置と前記第１又は第２の装置との間に確立された接続を通して実行されても良い。
【００１２】
前記第１の装置から前記第２の装置への伝送におけるアプリケーションデータの中間的な保存のために利用される、本発明によるメモリ装置は、ユーザの身体を通して、接続に関連するパラメータを前記第１又は第２の装置と交換するための接続インタフェースを有する。斯かるインタフェースは、身体結合通信（body-coupled communication、ＢＣＣ）のためのトランシーバを有しても良い。近年、例えば文献「Personal Area Networks: Near-field intrabody communication」（T. G. Zimmermann、IBM Systems Journal、Vol.35、Nos.3&4、1996年）に記載されているように、人間の身体を通したデータ伝送の分野において多くの開発が為されている。当業者は、必要とされる技術をよく知っているであろう（ここで詳細に説明される必要はない）。
【００１３】
前記第１の装置からアプリケーションデータを受信し、前記第２の装置へとアプリケーションデータを伝送するために、前記メモリ装置は好適には、前に交換された接続に関連するパラメータを利用して確立された接続を通してアプリケーションデータを伝送するように動作する、適切なデータ伝送構成を有する。該メモリ装置はまた好適には、該アプリケーションデータを保存するためのメモリモジュール又はユニットを有する。この機能により、以下該メモリ装置は「データ担体」又は「中間的な記憶装置」とも呼ばれる。
【００１４】
ここで言及される第１及び第２の装置は、パーソナルコンピュータ、家庭用娯楽装置、パーソナルディジタルアシスタント、携帯型音楽プレイヤ等のような、アプリケーションデータを処理するためのいずれの種類の電子装置であっても良い。以下、単純さのため、前記第１の装置及び第２の装置はそれぞれ、「伝送元装置」及び「宛先装置」と呼ばれる。明らかに、１つの装置が、アプリケーションデータをメモリ装置へと伝送するときには伝送元装置として働き、アプリケーションデータをメモリ装置から受信するときには宛先装置として働くように備えられても良い。メモリ装置へと又はメモリ装置からアプリケーションデータを伝送することを可能とするため、斯かる伝送元又は宛先装置はまた、該装置とメモリ装置との間で接続に関連するデータを交換するための、必要なタッチインタフェースと接続インタフェースとの組み合わせ、及び前記接続に関連するデータに基づいて確立された接続を通してアプリケーションデータを伝送するための、例えば適切なトランシーバのようなデータ伝送構成を利用する必要がある。タッチインタフェースと接続インタフェースとの組み合わせは単一のモジュールであっても良いし、又はそうでなければ互いと組み合わせて動作する２つの別個の又は異なるモジュールを有しても良い。「アプリケーションデータ」は、Wordファイル、画像ファイル、ＰＤＦファイル、ＭＰＥＧファイル、実行可能ファイル等のようないずれのフォーマットのいずれのファイル又は文書であっても良く、以下単に「ファイル」と呼ばれ得る。タッチインタフェースと接続インタフェースとの組み合わせは、データ伝送構成と同様に、前記装置に一体化されても良く、又は以下に説明されるような該装置に接続された外部のデータ伝送フロントエンドに一体化されても良い。
【００１５】
第１の装置と第２の装置との間でアプリケーションデータを伝送するための適切なデータ伝送システムは、ユーザの身に付けて持ち運ぶためのメモリ装置を有し、前記メモリ装置は、前記アプリケーションデータの中間的な保存のためのメモリと、ユーザの身体を通して、接続に関連するデータを装置と交換するための接続インタフェースと、前記接続に関連するデータに基づいて確立された接続によって、前記第１の装置から前記アプリケーションデータを受信し、前記第２の装置へと前記アプリケーションデータを送信するための、データ伝送構成と、を有する。前記データ伝送システムは、前記第１の装置に割り当てられた、前記ユーザの身体を通して、前記第１の装置と前記メモリ装置との間で、接続に関連するデータを交換するための、タッチインタフェースと接続インタフェースとの組み合わせと、前記接続に関連するデータに基づいて確立された接続によって、前記第１の装置から前記メモリ装置へと前記アプリケーションデータを送信するための、データ伝送構成と、を有する。同様に、前記データ伝送システムは更に、前記第２の装置に割り当てられた、前記ユーザの身体を通して、前記第２の装置と前記メモリ装置との間で、接続に関連するデータを交換するための、タッチインタフェースと接続インタフェースとの組み合わせと、前記接続に関連するデータに基づいて確立された接続によって、前記メモリ装置から前記第２の装置へと前記アプリケーションデータを送信するための、データ伝送構成と、を有する。
【００１６】
ユーザの一部における単純なタッチ動作によりデータ伝送が開始されるため、本発明による方法は特に有利である。人間の身体を信号伝送媒体として利用してネットワークパラメータを交換するための該「単にタッチによる」インタラクションは、使用のために極めて単純であり、完全に直感的である。本発明による方法の他の明らかな利点は、メモリ装置へと及びメモリ装置からアプリケーションデータが無線で伝送されるため、ユーザがメモリ装置自体を伝送元又は宛先装置のインタフェースソケットへと物理的に接続する必要がない点である。データ伝送は、快適で、直感的で、容易な態様で実行される。ユーザは該メモリ装置が身に付けて（例えばジャケットやズボンのポケットに入れて）運ぶことができるため、該ユーザは前記第１又は第２の装置のインタフェースへと該メモリ装置を挿入しなくてはならないという労力を割かなくとも良い。更に、該メモリ装置は該ユーザの身に付けたままであるため、装置のインタフェースに忘れられることもない。
【００１７】
従属請求項及び以下の説明は、本発明の特に有利な実施例及び特徴を開示する。
【００１８】
上述したように、身体内通信（即ち人間の身体を通したデータ伝送）の分野における近年の技術発展は、人間の身体を担体として利用して、伝送元装置から宛先装置へとデータが適切に伝送されることを可能としてきた。大まかに言えば、ユーザの身体を通して既に交換されている接続に関連するデータに基づいて確立された接続を通して、ユーザの身体を通して、メモリ装置と伝送元又は宛先装置との間でアプリケーションデータを伝送することが基本的に可能である。
【００１９】
一方で、明らかな制約のため、人間の身体は高いパワー又は高い周波数でのデータ伝送には非常に適しているわけではない。しかしながら、ユーザが伝送元装置と物理的な接触を維持する限り、低い周波数及び低いパワーでデータが伝送されることは実現可能である。それ故、本発明による方法においては、接続に関連するデータのみがユーザの身体を通して伝送される。なぜなら、比較的少量のデータが、短い時間の間に交換されるからである。
【００２０】
更に、本発明の好適な実施例においては、接続に関連するパラメータが交換されると、これらパラメータを利用してメモリ装置と対応する伝送元又は宛先装置との間に無線ネットワークが確立される。この手順は適切な規格により記述され、「参加（join）」及び「受諾（accept）」要求のような、予め定義されたトランシーバに理解可能な信号又はメッセージの交換を有し、これにより装置のアドレスが交換され得る。斯かる手順及び規格は、当業者にはよく知られたものであろう。ネットワークが適切に確立されると、アプリケーションデータは無線接続を通してメモリ装置と伝送元又は宛先装置との間で伝送されることができる。アプリケーションデータの伝送の間、ユーザはトランシーバの範囲内にとどまるべきである。伝送の完了は、ビープ音又は点滅するＬＥＤ（light-emitting diode）のような、可聴又は可視の信号により示されても良い。
【００２１】
例えばＩＥＥＥ８０２．１１（無線ＬＡＮ）及びＩＥＥＥ８０２．１５（無線ＰＡＮ）規格のような種々の規格が、短距離の無線通信のために確立されている。人物に近接した（一般に数メートルの距離）装置のネットワークは、パーソナルエリアネットワーク又はＰＡＮと呼ばれる。これら装置が無線で通信する場合、該ネットワークは無線ＰＡＮ又はＷＰＡＮと称される。無線パーソナルエリアネットワークのための幾つかのネットワーク技術が開発されてきた。最も良く知られたもののひとつが、種々の装置が互いと通信することを可能とするBluetooth（登録商標）である。他の最近の技術はZigBee（登録商標）規格であり、より容易に実装されることができ、低コストの装置の実現を可能とする。
【００２２】
互いと無線で通信するために、２個以上の装置が、これら装置がデータを交換しようとする無線チャネルの周波数、ネットワーク識別子（ＩＤ）、これら装置のそれぞれについての装置アドレス等のような、ネットワークに関連した又は接続に関連したデータを取得する必要がある。以上に説明したように、本発明による方法においては、これらのネットワークパラメータは、例えば身体を流れる極めて低い電流（ピコアンペア）の容量結合により、身体内信号を利用して、ユーザの身体を通して交換される。このことは、ユーザが、例えば該ユーザの指先により、伝送元又は宛先装置のタッチインタフェース上のタッチ可能領域に触れ、該タッチ可能領域との接触を交換のための継続時間の間維持したときに達成される。伝送元／宛先装置のタッチインタフェースは、例えば該装置のディスプレイ、キーボード又は他の領域における専用の領域、ボタン、タッチパッド等であっても良い。接続を特徴付けるために必要とされるデータの量は比較的小さいため、交換の継続時間、及びそれ故ユーザと伝送元／宛先装置との接触の継続時間は、それに応じて短くなり得る。ユーザの身体を通して伝送元又は宛先装置とメモリ装置との間でネットワークパラメータが交換されると、ユーザは例えば該ユーザの指先を該装置のタッチインタフェースから離すことにより、接触を終了することができる。
【００２３】
前記装置と前記メモリ装置との間でネットワークパラメータが交換されている間ユーザによって為される前記装置との接触のタイプは、それ自体が、実行されるべき伝送の方向又は伝送のタイプについての情報を担持しても良い。例えば、「コピー」型の伝送は、伝送元装置からメモリ装置への伝送を示す。一方、「ペースト」型の伝送は、前記メモリ装置から宛先装置への伝送を示す。これらの機能は、パーソナルコンピュータ又は同様の装置のいずれのユーザにも良く知られたものであり、ワードプロセッサ、画像処理アプリケーション等のような、データを処理するための殆ど全てのアプリケーションにおいてクリップボード機能として利用されている。更に、タッチインタフェースが種々の伝送タイプ（コピー、ペースト、移動）のための専用の領域を有する場合、伝送の方向及びタイプを決定するために、どの領域にユーザが触れたかについての情報がタッチインタフェースにより解析されても良い。代替として、より単純な実施化のためには、ユーザが、コピー伝送を示すためにはタッチインタフェースに一度触れ、ペースト伝送のためには二度触れ、移動転送のためには三度触れても良い。例えば、ユーザは、選択されたファイルが移動される（即ち、最初にメモリ装置にコピーされ、次いで伝送元装置から消去される）べきであることを示すため、タッチインタフェースを三度タップし、その後に該ユーザの指先をタッチインタフェースに押下したままとして、ネットワークパラメータが交換されることを可能にしても良い。ユーザにより為される種々のタイプのタッチシーケンスを検出するため、適切な回路又は検出器がタッチインタフェースに組み込まれても良い。例えば、接続パラメータが交換されている間に、「コピー（copy）」伝送を示すためにタッチインタフェースにおいて「Ｃ」の形にユーザの指先をドラッグすることによってのように、タッチインタフェースにおいてユーザの指先で「書く」ことにより、ユーザが伝送のタイプを指示することができるように、タッチインタフェースが実施化されることも想到可能である。
【００２４】
それ故、本発明の好適な実施例においては、伝送元又は宛先装置のタッチインタフェースは、該装置とメモリ装置との間の、幾つかの別個のアプリケーションデータ伝送タイプ（「コピー」、「ペースト」及び／又は「移動」のような）のための、対応する数のタッチ可能な領域を有しても良い。代替として、タッチインタフェースは、種々の伝送タイプのうちどれがユーザによって指示されたかを決定するため、ユーザによって為されたタッチインタフェースとの接触のタイプ又はシーケンスを検出するための適切な検出ユニットを有しても良い。本発明の比較的単純な一実施例においては、ユーザが装置のタッチインタフェースのタッチ可能な「コピー」又は「移動」領域に触れた場合には、いずれの選択されたファイルもが、又はいずれの現在開いている又はアクティブなファイルもが自動的にメモリ装置に伝送され、ユーザが装置のタッチインタフェースのタッチ可能な「ペースト」領域に触れた場合には、メモリ装置に現在保存されている全てのデータが前記装置に伝送されても良い。この種の実施例においては、メモリ装置は単純な「クリップボード」として動作し、その機能はパーソナルコンピュータのいずれのユーザにも知られたものであろう。
【００２５】
既に上述したように、伝送元装置からメモリ装置へと伝送されるアプリケーションデータは、１つよりも多い宛先装置を宛先として持っても良い。例えば、単一のファイルが、１つよりも多い宛先装置へと向けられても良い。代替として、或るファイルが第１の宛先装置へと向けられ、別のファイルが第２の宛先装置へと向けられても良い。本発明の利点のひとつは、ユーザが適切な宛先装置への伝送のためにファイルを選択するためメモリ装置の内容を閲覧する必要なく、アプリケーションデータが意図された宛先装置へと自動的に伝送されることができる点である。本発明のとりわけ好適な実施例においては、特定の伝送パラメータ又は条件を規定するラベルがアプリケーションデータについて生成され、該ラベルが該アプリケーションデータと共にメモリ装置へと伝送される。例えば、該ラベルは、アプリケーションデータがメモリ装置へと伝送される前に、伝送元装置においてユーザがファイルを選択した点で生成される。該ラベルは、ファイルが意図された先の宛先装置を規定しても良く、（単一のセッション中に伝送元装置からメモリ装置へと伝送された）種々のファイルを、ユーザが幾つかの異なる宛先装置へとコピー、ペースト又は移動することを容易とする。例えば、ユーザは、音楽ファイルのセレクションについて意図された宛先として携帯型音楽プレイヤを規定し、同一の又は他の音楽ファイルについて意図された宛先として該ユーザのカーステレオを規定し、ビデオファイルについて意図された宛先として家庭用娯楽システムを規定し、スプレッドシート又はテキストファイルについて意図された宛先として別のＰＣを規定しても良い。次いで該ユーザは、１つのセッションで、全てのファイルを該ユーザのメモリ装置に伝送しても良い。その後、宛先装置のタッチインタフェースを単に触ることにより、関連する宛先装置に向けられたアプリケーションデータが、自動的に伝送されることとなる。言うまでもなく、該宛先装置はどこに配置されていても良く、メモリ装置から宛先装置の１つへのデータ伝送を、当該宛先装置の近くに居る場合にはいずれの都合の良いときに実行しても良い。
【００２６】
更に、ラベルは、意図される宛先装置又はメモリ装置における、ファイルについての寿命を規定しても良い。斯かる寿命の終了後、アプリケーションデータは自動的に無効であるとマークされても良い。ラベルはまた、メモリ装置から宛先装置へとファイルが伝送され得る回数を規定しても良い。伝送元装置上の適切なソフトウェアが、例えば、コンピュータのファイル管理システムの特定のフォルダにおいてユーザにより保存されたファイルについて、ラベルの自動生成を可能としても良い。例えば、ユーザが音楽ファイルを「プレイヤ用の音楽」と呼ばれるフォルダへと移動又はドロップした場合には、該ソフトウェアが自動的に、当該ファイルについて、宛先装置として携帯型音楽プレイヤを示す、対応するラベルを生成しても良い。例えば音楽ファイルアイコンをクリックし「プレイヤ」と発声して、当該ファイルについての宛先を指示することによってのように、ユーザが宛先を発話することにより宛先を規定することが可能であっても良いことも想到可能である。
【００２７】
本発明によるメモリ装置は好適には、ユーザの身に付けて持ち運び可能であるように実現される。しかしながら、アプリケーションデータのユーザの殆どはしばしば、１つ以上の例えばＰＤＡ、モバイル電話等のような携帯型装置を持ち運ぶため、有利な実現の１つのタイプは、メモリ装置を１つ以上の斯かる装置と組み合わせること（例えば本発明による内蔵型メモリ装置を組み込んだモバイル電話）であり得る。
【００２８】
ネットワークに関連するパラメータがユーザの身体を通して交換されるため、本発明によるメモリ装置は、アプリケーションデータを伝送するために、伝送元又は宛先装置のデータインタフェースに物理的に接続される必要はない。しかしながら、全ての装置が、身体結合通信を用いてメモリ装置と通信するための手段を備えているわけではない場合もある。斯かる結末を可能とするため、メモリ装置はＵＳＢコネクタのようなインタフェースコネクタを用いて実現されても良く、それにより該メモリ装置は、メモリ装置を装置のインタフェースソケットへと直接に挿入することにより、これら装置から得られた又はこれら装置へと向けられたアプリケーションデータのための中間的なデータ保存のためにも利用されることができる。
【００２９】
タッチインタフェースを持たない伝送元又は宛先装置の容易なアップグレードを可能とするため、本発明はまた、斯かる装置とメモリ装置との間をインタフェース接続するための、データ伝送フロントエンドを記述する。斯かるフロントエンドは、例えばＵＳＢポート又はシリアルポートのような利用可能な装置インタフェースの１つを利用して装置へと簡単に接続されることができる携帯型モジュールであっても良い。該フロントエンドが装置へと接続されると、上述したような該装置とメモリ装置との間のデータ伝送が、既に説明された態様で実行される。この目的のため、データ伝送フロントエンドは、接続に関連するデータ又はパラメータが該装置とメモリ装置との間で交換されることを可能とするため、タッチインタフェースと接続インタフェースとの組み合わせを有する。更に、該フロントエンドは、前記接続に関連するデータに基づいて確立された接続を用いて、該装置からデータ伝送フロントエンドへとアプリケーションデータを伝送するための、即ち該装置からファイルをダウンロードするための、又は該装置へとファイルをアップロードするための、データインタフェースを有する。該データ伝送フロントエンドとメモリ装置との間でアプリケーションデータを伝送するため、該フロントエンドはそれ故データ伝送構成をも有し、該構成を用いて該フロントエンドがメモリ装置とアプリケーションデータを交換することができる。斯かるデータ伝送フロントエンドの助力により、（該助力がなければ該装置は必要なインタフェースを利用できない）装置が、本発明によるデータ伝送システムにおける伝送元又は宛先装置として利用されることが可能となる。
【００３０】
本発明の他の目的及び特徴は、添付図面と共に考察される以下の詳細な説明から明らかとなるであろう。しかしながら、図面は単に説明の目的のために意図されたものであって、本発明の限定の定義として意図されたものではないことは、理解されるべきである。
【発明を実施するための最良の形態】
【００３１】
図面において、同様の番号は図を通して同様のオブジェクトを指す。
【００３２】
図１は、本発明によるメモリ装置１を持つユーザ２、及び幾つかの装置Ｄ、ＤＳ、ＤＴ１、ＤＴ２を示す。該ユーザは、該ユーザのポケットにメモリ装置１を持ち運んでいるものとして示されている。しかしながら、メモリ装置１は、例えば靴に組み込まれたり、又はベルトに装着若しくは組み込まれたりといったように、ユーザの２の身に付けられたいずれの都合の良い位置において持ち運ばれていても良い。説明の目的のため、ユーザ２は、装置Ｄ、ＤＳ、ＤＴ１、ＤＴ２の全ての近隣に示されているが、以下に詳細に説明されるように、データ伝送はメモリ装置１と単一の装置Ｄ、ＤＳ、ＤＴ１、ＤＴ２との間で実行されても良いことは理解されるであろう。本発明による方法を用いて、ユーザ２は、ネットワークに含められるべき装置Ｄ、ＤＳ、ＤＴ１、ＤＴ２のいずれかを単に触れることによって、メモリ装置１と装置Ｄ、ＤＳ、ＤＴ１、ＤＴ２のうちの１つ以上との間で、無線通信又はネットワークが確立されるようにすることができる。装置Ｄ、ＤＳ、ＤＴ１、ＤＴ２のそれぞれは、以下により詳細に説明される、適切なインタフェース３、３'、３''を利用し、該インタフェースによって、装置Ｄ、ＤＳ、ＤＴ１、ＤＴ２とメモリ装置１との間で、ネットワークに関連するデータが交換されることができる。
【００３３】
以上に詳細に説明された好適な方法においては、無線ネットワークのためのネットワークに関連するパラメータが装置とメモリ装置との間で交換されることを可能とするためにユーザが該装置に最初に触れ、続いて該ネットワークに関連するパラメータを用いて確立された無線ネットワークを介してアプリケーションデータを伝送することにより、該装置とメモリ装置との間でデータが伝送されることができる。
【００３４】
該装置及びメモリ装置は、図２に示されるように、これらステップを実行するための必要なユニット及びモジュールを備える必要がある。ここで、データ伝送システム２０においては、フロントエンド３、ユーザインタフェース２００（例えばキーボード、マウス、グラフィカルユーザインタフェース）、メモリ２０１及びプロセッサ２０２を用いる、装置ＤＳが示されている。斯かる装置において一般に組み込まれるが本発明に必須ではない他のモジュール又はユニットは、本図には示されていない。データ伝送システム２０はまた、メモリ装置１及び宛先装置ＤＴ１、ＤＴ２を有する。伝送元装置ＤＳ及び宛先装置ＤＴ１、ＤＴ２は共に、タッチインタフェースと接続インタフェースとの組み合わせ２１５、２３５を利用し、これは対応する装置のディスプレイにおけるタッチ可能領域であっても良いし、又は該装置上のボタン、該装置の筐体における領域等であっても良く、装置ＤＳ、ＤＴ１、ＤＴ２のそれぞれで異なるように実現されても良い。ここで、伝送元装置ＤＳのタッチインタフェース２１０は、３つの別個のタッチ可能領域２１０Ｃ、２１０Ｐ、２１０Ｍ（「コピー」領域２１０Ｃ、「ペースト」領域２１０Ｐ及び「移動」領域２１０Ｍ）を持つ。宛先装置ＤＴ２のタッチインタフェース２３０においては、ユーザはペースト領域２３０Ｐのみを利用することができる。タッチインタフェースと接続インタフェースとの組み合わせ２１５、２３５は、ユーザにより為されたタッチのタイプを検出し、実行されるべき対応するタイプの伝送を決定し、メモリ装置１に起動信号を発行することができる。
【００３５】
伝送のためのアプリケーションデータを選択するため、ユーザは例えば、メモリ装置１へと伝送されるべき、メモリ２０１に保存されたファイルＦ１を示すために、装置ＤＳのグラフィカルユーザインタフェース２００を利用しても良い。ここでは、該ユーザは、ファイルＦ１が宛先装置ＤＴ１へと伝送されるべきであることを指示している。これに先立ち、何らかの適切な時点において、伝送元装置ＤＳ上で動作しているソフトウェアプログラムが、装置ＤＴ１を宛先として示す対応するラベルＬ１を生成しており、図において点線により示されるように、何らかの適切な形態で該ラベルＬ１をファイルＦ１にリンクさせている。
【００３６】
ユーザが装置ＤＳのフロントエンド３のタッチインタフェース２１０を触れると、タッチインタフェース２１０はＢＣＣトランシーバ２１１に通知し、該ＤＣＣトランシーバ２１１が次いで、装置ＤＳのＢＣＣトランシーバ２１１とユーザによって持ち運ばれているメモリ装置１のＢＣＣトランシーバ２２１との間で電気回路が閉じるようにし、該回路によってネットワークパラメータ４が非常に低い電流（典型的にピコアンペアの領域における）で交換されることができる（図において斜線模様で描かれた矢印により示される）。ネットワークパラメータ４が適切に交換されると、ユーザはフロントエンド３のタッチインタフェース２１０との接触を終了することができ、その事実は、プロセッサ２１３と共にソフトウェア２１４により生成される、ユーザによって知覚され得るビープ音、チャイム音、可視の信号、又は何らかの他の適切なタイプの信号によって、ユーザへと通知されても良い。
【００３７】
装置ＤＳとメモリ装置１との間で交換されるネットワークパラメータ４は、それぞれの無線周波数トランシーバ２１２、２２２へと転送され、これらトランシーバは次いで、フロントエンドのトランシーバ２１２とメモリ装置のトランシーバ２２２との間で、白矢印により示される、装置ＤＳとメモリ装置１との間の無線ネットワークＮを確立する。
【００３８】
無線ネットワークＮが確立されると、付随するラベルＬ１を持つファイルＦ１が、装置ＤＳのメモリ２０１から取得され、フロントエンド３の無線周波数トランシーバ２１２により、ネットワークＮを通して送信される。伝送に先立ち適切な態様でアプリケーションデータを暗号化又はエンコードさせることにより送信する場合には、セキュリティの問題が考慮されても良く、それによりメモリ装置のみが該データを復号化又はデコードしても良い。復号化又はデコードのために必要な情報は、ネットワークパラメータ４と共に交換されても良い。メモリ装置１の無線周波数トランシーバ２２２は、該送信された信号を検出し、かくして受信されたアプリケーションデータＦ１のコピーＦ'１を、ラベルＬ１のコピーＬ'１と共にメモリ装置１のメモリ２２０に保存する。「コピー」伝送がかくして完了し、次いで無線ネットワークＮがシャットダウンされ得る。メモリ装置１のソフトウェア２４４はプロセッサ２２３と共に、受信されたデータＦ'１が向けられた装置を決定するために、ラベルＬ'１を解析しても良い。
【００３９】
メモリ装置１から宛先装置ＤＴ１、ＤＴ２へとアプリケーションデータＦ'１を伝送するため、ユーザは、宛先装置ＤＴ１、ＤＴ２のフロントエンド３'のタッチインタフェース２３０における対応する「ペースト」領域を触れても良い。上述したものと基本的に同一の方法で、メモリ装置１のＢＣＣトランシーバ２２１と、宛先装置ＤＴ１、ＤＴ２のフロントエンド３'のＢＣＣトランシーバ２３１との間で、ネットワークパラメータが交換され、それぞれの無線周波数トランシーバ２２２、２３２が無線ネットワークを確立することを可能とする（図には示されていないが、上述したものと基本的に同一である）。宛先装置ＤＴ１、ＤＴ２のプロセッサ２３３はソフトウェア２３４と共に、メモリ装置１に対して、宛先装置ＤＴ１用に該メモリ装置１が保持しているデータを要求する。ラベルＬ'１に基づいて、メモリ装置１は、データＦ'１が宛先装置ＤＴ１、ＤＴ２に向けられたものであることを認識し、無線ネットワークを通してファイルＦ'１を送信する。無線周波数信号は、宛先装置ＤＴ１、ＤＴ２のフロントエンド３'のＲＦトランシーバ２３２によりピックアップされ、入力されるデータはメモリ２４１において元のファイルＦ１のコピーＦ''１として保存される。「ペースト」伝送はかくして終結され、無線ネットワークはシャットダウンされても良い。
【００４０】
図３ａ乃至３ｃは、本発明によるメモリ装置１の幾つかの異なるとり得る実施化を示す。図３ａにおいて、メモリ装置１は、スタンドアロン型の中間的なデータ記憶装置であり、伝送元又は宛先装置ＤＳ、ＤＴ１、ＤＴ２間でデータを伝送するために利用されることができる。本図においては、伝送元又は宛先装置ＤＳ、ＤＴ１、ＤＴ２はそれぞれ、上述したように、タッチインタフェース、接続インタフェース、無線トランシーバ等を備えた内蔵型のフロントエンドを持つことが仮定される。
【００４１】
図３ｂは、メモリ装置１が、他の携帯型装置３１（本例においてはモバイル電話３１）に組み込まれている実施化を示す。ここでもまた、メモリ装置１は、伝送元又は宛先装置ＤＳ、ＤＴ１、ＤＴ２間でアプリケーションデータを伝送するために利用されることができる。
【００４２】
図３ｃは、装置Ｄがタッチインタフェース又は接続インタフェースを利用しない場合についての実施化を示す。本例においては、ＵＳＢコネクタ３２を利用して、フロントエンドモジュール３''が装置ＤのＵＳＢインタフェース３３に挿入されることができ、本発明による方法を利用して、メモリ装置１と装置Ｄとの間でアプリケーションデータが伝送されることを可能とする。
【００４３】
無線トランシーバを備えない装置Ｄを用いた使用のため、メモリ装置１は、図３ｄに示されるような、適切なデータ伝送インタフェースを備えて実施化されても良い。ここでは、メモリ装置１は、ＵＳＢインタフェースコネクタ３２を備えたメモリスティック３４として実施化され、それ故単に、無線データ伝送が可能ではない装置Ｄへと又は該装置Ｄからデータを伝送するためのＵＳＢスティック３４として利用されることができる。
【００４４】
図４ａ乃至４ｋに示された一連の図は、伝送元装置ＤＳから２つの別個の宛先装置ＤＴ１、ＤＴ２へとアプリケーションデータＦ１、Ｆ２を伝送するためにユーザ２によってとられるステップを示す。本図において、説明の目的のため、装置ＤＳ、ＤＴ１、ＤＴ２は単純な形状により表現されており、近接して示される。当然ながら、装置ＤＳ、ＤＴ１、ＤＴ２は、携帯型音楽プレイヤ、家庭用娯楽装置、カーステレオ、パーソナルコンピュータ、衛星受信器、いずれかの電気器具等のような、以上の説明において言及された装置のいずれであっても良い。更に、伝送元装置ＤＳは、宛先装置ＤＴ１、ＤＴ２からいずれの距離にあっても良い。明確さのため、装置ＤＳ、ＤＴ１、ＤＴ２のタッチインタフェース２１０、２３０は詳細には示されておらず、単に点線により示されている。装置ＤＳ、ＤＴ１、ＤＴ２のメモリに保存されたファイルは、単に通常のファイル記号により示されている。
【００４５】
図４ａにおいて、ユーザ２は、無線メモリスティック１を身に付けて（該ユーザのポケットの中に）持ち運んでいるように示されている。該ユーザは、伝送元装置ＤＳから２つのファイルＦ１、Ｆ２をコピーしようと意図している。ユーザ２は、図には示されていないマウスでこれらファイルをクリックすることによってのような、いずれかの適切な方法で、コピーのための所望のファイルＦ１、Ｆ２をマークしていても良い。更に、ユーザ２は、該ユーザがコピーしようと欲しているファイルＦ１、Ｆ２のそれぞれについて、宛先装置を規定している。本例においては、第１のファイルＦ１が第１の宛先装置ＤＴ１にコピーされるべきであり、第２のファイルＦ２が他方の第２の宛先装置ＤＴ２にコピーされるべきである。ファイルＦ１、Ｆ２が正しい意図された宛先にコピーされることを確実にするため、伝送元装置ＤＳは、第１のファイルＦ１に対して第１のラベルを、第２のファイルＦ２に対して第２のラベルを生成する。明確さのため、これらラベルは図には示されていない。
【００４６】
該ユーザは、伝送元装置ＤＳのタッチインタフェース２１０上の「コピー」ボタンに触れる。当該イベントにより誘発され、伝送元装置ＤＳの接続インタフェースが、該装置のＢＣＣトランシーバを起動し、該トランシーバに、身体結合通信を通して起動信号を放送又は送信するように命令する。メモリ装置１のＢＣＣトランシーバは、図４ｂにおいて斜線模様を入れられた矢印により示される、身体結合通信を介して該起動信号を受信することにより起動する。メモリ装置１及び伝送元装置のＢＣＣトランシーバは、身体結合通信を通してネットワークパラメータ４（即ち無線チャネル、ネットワークＩＤ）を交換する。ユーザ２はここで、伝送元装置ＤＳのタッチインタフェース２１０から該ユーザの指先を離しても良い。該ユーザがタッチインタフェース２１０から該ユーザの指先を離しても良い時点は、伝送元装置ＤＳにより発せられるビープ音により示唆されても良い。メモリ装置１及び伝送元装置ＤＳの制御ソフトウェアは、それぞれのＲＦトランシーバに対して、無線チャネル及びネットワークＩＤにより規定される無線ネットワークに参加するように命令する。
【００４７】
図４ｃにおいて、実線の白い矢印により示されるように、メモリ装置１と伝送元装置ＤＳとの間で無線通信が確立される。接続インタフェースは、対応するラベルにより付随されたファイルＦ１、Ｆ２のコピーを、該伝送元装置のＲＦトランシーバを介して、伝送元装置ＤＳからメモリ装置１のＲＦトランシーバへと送信する。メモリ装置１は続いて、入力されたデータを該装置のメモリに保存する。
【００４８】
それぞれのラベルを伴うファイルＦ１、Ｆ２のコピーが伝送元装置ＤＳからメモリ装置１へと伝送されると、伝送元装置ＤＳの接続インタフェースは、無線接続から離れ、該装置のＲＦトランシーバをシャットダウンする。同様に、メモリ装置１は、該装置のＲＦトランシーバに、ネットワークをシャットダウンするように命令し、このことを例えば可聴のビープ音又は可視の信号により示唆する。ユーザ２はここで、図４ｄに示されるような宛先装置ＤＴ１に近づき、宛先装置ＤＴ１のタッチインタフェース２３０における「ペースト」ボタンに触れる。
【００４９】
以上に説明したものと同様の方法で、宛先装置ＤＴ１は、図４ｅにおいて斜線模様を入れられた矢印により示される、身体結合通信を通して、メモリ装置１を起動する。メモリ装置１は次いで、新たな無線接続のための接続パラメータ４を規定し、これら接続パラメータ４を、身体結合通信を介してユーザ２の身体を通して宛先装置ＤＴ１の接続インタフェースへと送信する。該伝送が完了すると、ユーザ２は宛先装置ＤＴ１のタッチインタフェース２３０を離しても良い。
【００５０】
図４ｆに示されるように、第１の宛先装置ＤＴ１は、メモリ装置１によりセットアップされた、実線の白い矢印により示された、無線ネットワークに参加する。第１の宛先装置ＤＴ１は次いで、メモリ装置１に対して、該メモリ装置のメモリに保存された、該宛先装置ＤＴ１に向けられたいずれのデータをも送信するように要求する。該要求を受信すると、メモリ装置１は、無線通信によって、第１のファイルＦ１のコピーを第１の宛先装置ＤＴ１へとデータとして送信することを開始する。第１の宛先装置ＤＴ１は、元のファイルＦ１のコピーＦ'１として、該データを該装置のメモリに保存することを開始する。
【００５１】
第２のファイルＦ２のコピーを第２の宛先装置ＤＴ２へと伝送するため、ユーザ２は第２の宛先装置ＤＴ２へと近づき、図４ｇに示されるように、当該宛先装置ＤＴ２のタッチインタフェース２３０の「ペースト」ボタンに触れる。一方では、点線により描かれたファイル記号により示されるように、メモリ装置１が依然として、第１の宛先装置ＤＴ１へとデータを伝送している。
【００５２】
既に説明された方法で、第２の宛先装置ＤＴ２は、図４ｈにおいて実線の黒い矢印により示される身体結合通信を通して、メモリ装置１を起動する。メモリ装置１は既に無線接続を確立しているから、該メモリ装置は直ちに、身体結合通信を利用して、必要とされるネットワーク接続パラメータ４を第２の宛先装置ＤＴ２へと送信する。ユーザ２はここで、第２の宛先装置ＤＴ２を離しても良い。
【００５３】
図４ｉに示されるように、第２の宛先装置ＤＴ２は、メモリ装置１により確立された無線ネットワークに参加する。ここで宛先装置ＤＴ１、ＤＴ２及びメモリ装置１はいずれも、実線の白い矢印により示されるように、同一の無線ネットワークの一部となる。第２の宛先装置ＤＴ２は、メモリ装置１に対して、該宛先装置ＤＴ２に向けられたいずれのデータをも送信するように要求する。該要求を受信すると、メモリ装置１は該メモリ装置が受信したファイルのラベルを検査し、続いて無線ＲＦ接続によって第２のファイルＦ２のコピーを第２の宛先装置ＤＴ２へと伝送することを開始し、第２の宛先装置ＤＴ２は、受信されたデータを、元のファイルＦ２のコピーＦ'２として該宛先装置ＤＴ２のメモリに保存することを開始する。
【００５４】
第１の宛先装置ＤＴ１が該装置の要求されたデータの全てを受信することを完了すると、図４ｊに示されるように、該装置の接続インタフェースが、該装置のＲＦトランシーバに対して、ネットワークから離れ電源を落とすように命令する。同様にして、第２の宛先装置ＤＴ２が該装置の要求されたデータの全てを受信することを完了すると、図４ｋに示されるように、該装置の接続インタフェースが、該装置のＲＦトランシーバに対して、ネットワークから離れ電源を落とすように命令する。最後に、メモリ装置１の制御ソフトウェアが、該装置のＲＦトランシーバに対して、該ネットワークを終了するように命令する。元のファイルＦ１、Ｆ２はこのとき、伝送元装置ＤＳから、意図された宛先装置ＤＴ１、ＤＴ２へとコピーされている。当然ながら、ユーザは、伝送元装置ＤＳから、宛先装置ＤＴ１、ＤＴ２のいずれかに、任意の数の異なるファイルをコピーしていても良い。ファイルがメモリ装置１から該ファイルの意図された宛先へと伝送されると、該ファイルのコピーはメモリ装置１から消去されても良い。
【００５５】
図５は、図４ａ乃至４ｋにおいて説明されたデータ伝送手順の種々の段階を、メッセージシーケンス図の形で示す。ユーザ２、及び関与する装置１、ＤＳ、ＤＴ１、ＤＴ２（即ちメモリ装置１、伝送元装置ＤＳ及び２つの宛先装置ＤＴ１、ＤＴ２）のそれぞれについて、タイムラインが示されている。ユーザからこれら装置の１つへの、又は或る装置から別の装置への通信、メッセージ又はデータ伝送は、適切な方向の矢印により示される。タイムラインに沿った垂直方向の実線のバーは、対応する段階又はデータ交換の継続時間を示す。
【００５６】
第１の段階Ｉにおいて、ユーザが伝送元装置ＤＳのタッチインタフェースに触れると（本例においてはタッチインタフェースの「コピー」ボタン）、該伝送元装置のＢＣＣトランシーバが、メモリ装置１のＢＣＣトランシーバに起動信号を発行する。このことは、メモリ装置１に、ネットワークをセットアップさせ、ユーザ２の身体を通して、必要なパラメータ４（本例においてはチャネル番号及びＩＤ）を前記伝送元装置と交換させる。パラメータ４が交換されると、ユーザ２は該タッチインタフェースを離しても良く、接続パラメータ４を用いて無線ネットワークが確立される。
【００５７】
次の段階ＩＩにおいて、伝送元装置ＤＳのＲＦトランシーバは、メモリ装置１のＲＦトランシーバに参加要求を発行し、該メモリ装置１のＲＦトランシーバが次いで受諾を発行する。装置１、ＤＳの双方がこのようにして該ネットワークに参加すると、コピー手順Ｃ１、２において、伝送元装置からメモリ装置へとアプリケーションデータがコピーされることができる。コピー手順Ｃ１、２が完了すると、伝送元装置ＤＳは、メモリ装置１に離脱要求を発行し、該装置のＲＦトランシーバをシャットダウンする。メモリ装置１は次いで、該装置のＲＦトランシーバをシャットダウンする。該ネットワークはもはやアクティブではなくなる。
【００５８】
続く段階ＩＩＩにおいて、ユーザは第１の宛先装置ＤＴ１に近づき、当該装置のタッチインタフェース上の「ペースト」ボタンに触れる。第１の宛先装置ＤＴ１のＢＣＣトランシーバは、メモリ装置１のＢＣＣトランシーバに起動信号を発行する。このことは、メモリ装置１に、ネットワークをセットアップさせ、ユーザ２の身体を通して、必要なパラメータ４を、第１の宛先装置ＤＴ１と交換させる。パラメータ４が交換されると、ユーザ２は該タッチインタフェースを離しても良く、接続パラメータ４を用いて、メモリ装置１と第１の宛先装置ＤＴ１との間で無線ネットワークが確立される。
【００５９】
続いて、段階ＩＶにおいて、第１の宛先装置ＤＴ１のＲＦトランシーバが、メモリ装置１のＲＦトランシーバに参加要求を発行し、該メモリ装置１のＲＦトランシーバが次いで受諾を発行する。装置１、ＤＴ１の双方が該ネットワークに参加すると、アプリケーションデータが、ペースト伝送Ｐ１において、メモリ装置１から第１の宛先装置ＤＴ１へとコピーされることができる。
【００６０】
該ペースト伝送Ｐ１の間、ユーザは第２の宛先装置ＤＴ２に向けられたデータを伝送することを決定する。この目的のため、段階Ｖにおいて、ユーザは第２の宛先装置ＤＴ２のタッチインタフェース上の「ペースト」ボタンに触れる。第２の宛先装置ＤＴ２のＢＣＣトランシーバは、メモリ装置１のＢＣＣトランシーバに起動信号を発行する。このことは、メモリ装置１に、ユーザの身体を通して、既存のネットワークについてのパラメータ４を、第２の宛先装置ＤＴ２に供給させる。ネットワークパラメータ４が交換されると、ユーザ２はタッチインタフェースを離しても良く、段階ＶＩにおいて、第２の宛先装置ＤＴ２は、メモリ装置１と第１の宛先装置ＤＴ１との間に既に確立された既存の無線ネットワークに参加することができ、データ要求を発行し、それに応じて、メモリ装置１が、ペースト伝送手順Ｐ２において、第２の宛先装置ＤＴ２へと、意図されたデータを伝送することを開始する。
【００６１】
ペースト伝送手順Ｐ１、Ｐ２が完了すると、対応するＲＦトランシーバは、離脱又はシャットダウン要求を発行することができ、それにより第１及び第２の宛先装置ＤＴ１、ＤＴ２のＲＦトランシーバがシャットダウンされ、最終的にネットワークが存在しなくなる。
【００６２】
以上の説明において示されたように、メモリ装置と伝送元又は宛先装置との間のデータの伝送のために必要とされるネットワークは、実際のデータを伝送するために必要な間だけ存在する必要があるのみである。その後、該ネットワークはシャットダウンされても良い。結果として、このタイプのデータ伝送を利用するこれら装置は、魅力的な低電力消費という特徴を持ち得る。
【００６３】
本発明は好適な実施例及びそれに対する変形の形で開示されたが、本発明の範囲から逸脱することなく、多くの付加的な変更及び変形が為され得ることは理解されるであろう。明確さのため、本明細書を通して「１つの（a又はan）」の使用は複数を除外するものではなく、「有する（comprising）」は他のステップ又は要素を除外するものではないことは、理解されるべきである。「ユニット」又は「モジュール」は、そうでないことが言及されていない限りは、幾つかのユニット又はモジュールを有し得る。
【図面の簡単な説明】
【００６４】
【図１】メモリ装置を身に付けて持ち運んでいるユーザ及び幾つかの装置を示す。
【図２】本発明の実施例によるデータ伝送システムのブロック図である。
【図３（ａ）】本発明の実施例による、メモリ装置及び装置の実施化の模式的な図である。
【図３（ｂ）】本発明の実施例による、メモリ装置及び装置の実施化の模式的な図である。
【図３（ｃ）】本発明の実施例による、メモリ装置及び装置の実施化の模式的な図である。
【図３（ｄ）】本発明の実施例による、メモリ装置及び装置の実施化の模式的な図である。
【図４（ａ）】本発明の実施例による、幾つかの装置間のデータ伝送のシーケンスにおけるステップを示す。
【図４（ｂ）】本発明の実施例による、幾つかの装置間のデータ伝送のシーケンスにおけるステップを示す。
【図４（ｃ）】本発明の実施例による、幾つかの装置間のデータ伝送のシーケンスにおけるステップを示す。
【図４（ｄ）】本発明の実施例による、幾つかの装置間のデータ伝送のシーケンスにおけるステップを示す。
【図４（ｅ）】本発明の実施例による、幾つかの装置間のデータ伝送のシーケンスにおけるステップを示す。
【図４（ｆ）】本発明の実施例による、幾つかの装置間のデータ伝送のシーケンスにおけるステップを示す。
【図４（ｇ）】本発明の実施例による、幾つかの装置間のデータ伝送のシーケンスにおけるステップを示す。
【図４（ｈ）】本発明の実施例による、幾つかの装置間のデータ伝送のシーケンスにおけるステップを示す。
【図４（ｉ）】本発明の実施例による、幾つかの装置間のデータ伝送のシーケンスにおけるステップを示す。
【図４（ｊ）】本発明の実施例による、幾つかの装置間のデータ伝送のシーケンスにおけるステップを示す。
【図４（ｋ）】本発明の実施例による、幾つかの装置間のデータ伝送のシーケンスにおけるステップを示す。
【図５（ａ）】伝送元装置から幾つかの宛先装置へのデータの伝送のためのメッセージシーケンス図を示す。
【図５（ｂ）】伝送元装置から幾つかの宛先装置へのデータの伝送のためのメッセージシーケンス図を示す。
【図１】
2009536489.tif 000003
【図２】
2009536489.tif 000004
【図３ａ】
2009536489.tif 000005
【図３ｂ】
2009536489.tif 000006
【図３ｃ】
2009536489.tif 000007
【図３ｄ】
2009536489.tif 000008
【図４ａ】
2009536489.tif 000009
【図４ｂ】
2009536489.tif 000010
【図４ｃ】
2009536489.tif 000011
【図４ｄ】
2009536489.tif 000012
【図４ｅ】
2009536489.tif 000013
【図４ｆ】
2009536489.tif 000014
【図４ｇ】
2009536489.tif 000015
【図４ｈ】
2009536489.tif 000016
【図４ｉ】
2009536489.tif 000017
【図４ｊ】
2009536489.tif 000018
【図４ｋ】
2009536489.tif 000019
【図５（ａ）】
2009536489.tif 000020
【図５（ｂ）】
2009536489.tif 000021
【国際調査報告】
2009536489.tif 000022
2009536489.tif 000023